(57)【要約】【課題】本考案は、サウナ浴室内の腰掛け部や床面上に設置させ、遠赤外線を発生させて岩盤浴効果を発揮するサウナ用すのこを提供する。【解決手段】細長板１を全国各地、例えば八幡平山系の焼山、富士山や阿蘇山の溶岩石等の鉱石２が落ちない隙間３を空けて多数並列に並べ、前記細長板１を連結するように横断方向に両端部と中間部分に桟木４を渡してビス等で固定する。そして、前記桟木４、４間の仕切部に溶岩石等の鉱石２を敷き並べ、上部を塞ぐように簾の子桟５を溶岩石等の鉱石２が落ちない隙間３を空けて多数並列に並べ、前記桟木４に前記簾の子桟５をビス等で固定する。【選択図】図１
0003145093.tif 000002
【実用新案登録請求の範囲】
【請求項１】
溶岩石等の鉱石が落ちない隙間を空けて細長板を多数並列に並べ、該細長板を連結するように横断方向に両端部と中間部分に桟木を渡してビス等で固定し、前記桟木間の仕切部に溶岩石等の鉱石を敷き並べ、上部を塞ぐように簾の子桟を溶岩石等の鉱石が落ちない隙間を空けて多数並列に並べ、前記桟木に前記簾の子桟をビス等で固定することを特徴とするサウナ用すのこ。
【請求項２】
前記細長板に代えて簾の子桟とすることを特徴とする請求項１記載のサウナ用すのこ。
【請求項３】
前記鉱石にマイナスイオンを発生するトルマリン鉱石及び／又はカビ防止の殺菌作用する十和田石を混入してなることを特徴とする請求項１記載のサウナ用すのこ。
【考案の詳細な説明】
【技術分野】
【０００１】
本考案は、サウナ浴室内の腰掛け部や床面上に設置させ、遠赤外線を発生させて岩盤浴効果を発揮するサウナ用すのこに関する。
【背景技術】
【０００２】
従来、浴室等の器具からマイナスイオンを発生させることが一般的に知られている（特許文献１を参照）。
この公知技術では、トルマリンを含むポリ塩化ビニール製の桟板上へ、同質製のすの子板を並列固着してすの子を形成したものであり、浴室等の器具の材料にトルマリンを混合したので、浴室内のマイナスイオンを増大させ、人体に好影響を付与すると共に、マイナスイオンにより生成した水酸イオンによって界面活性効果を生成し、前記器具に湯垢その他の付着物を可及的に減少させる効果がある。
また、風呂の洗い場の床からの冷えを防ぐため、お湯（排湯）の余熱を利用した暖房簾の子（受け皿）が知られている（特許文献２を参照）。
この公知技術は、簾の子の下部を受け皿状にして温かいお湯を簾の子の内部に流し込んでお湯を貯め、足元からの冷えを防ぐものである。
【特許文献１】特開２００１−２２４６５１号公報
【特許文献２】実開平７−４３３１６号公報
【考案の開示】
【考案が解決しようとする課題】
【０００３】
本考案は、サウナ浴室内の腰掛け部や床面上に設置させ、遠赤外線を発生させて岩盤浴効果を発揮するサウナ用すのこを提供することを目的とする。
【課題を解決するための手段】
【０００４】
本考案のサウナ用すのこは、溶岩石等の鉱石が落ちない隙間を空けて細長板を多数並列に並べ、該細長板を連結するように横断方向に両端部と中間部分に桟木を渡してビス等で固定し、前記桟木間の仕切部に溶岩石等の鉱石を敷き並べ、上部を塞ぐように簾の子桟を溶岩石等の鉱石が落ちない隙間を空けて多数並列に並べ、前記桟木に前記簾の子桟をビス等で固定するものである。
本考案のサウナ用すのこは、前記細長板に代えて簾の子桟とすることができるものである。
本考案のサウナ用すのこは、前記鉱石にマイナスイオンを発生するトルマリン鉱石及び／又はカビ防止の殺菌作用する十和田石を混入してなるものである。
【考案の効果】
【０００５】
本考案のサウナ用すのこは、全国各地、例えば八幡平山系の焼山、富士山や阿蘇山の溶岩石等の鉱石が落ちない隙間を空けて細長板を多数並列に並べ、該細長板を連結するように横断方向に両端部と中間部分に桟木を渡してビス等で固定し、前記桟木間の仕切部に溶岩石等の鉱石を敷き並べ、上部を塞ぐように簾の子桟を溶岩石等の鉱石が落ちない隙間を空けて多数並列に並べ、前記桟木に前記簾の子桟をビス等で固定したものであるため、前記鉱石からの遠赤外線で温められ、岩盤浴効果を得ることができる効果がある。
【考案を実施するための最良の形態】
【０００６】
本考案のサウナ用すのこの一実施例を添付図面に基づいて、以下に説明する。
図１は本考案のサウナ用すのこの分解斜視図、図２は本考案のサウナ用すのこの全体斜視図、図３は図２のＡ−Ａ矢視断面図、図４は本考案のサウナ用すのこの使用状態を示す斜視図である。
図１に示すように、細長板１を全国各地、例えば八幡平山系の焼山、富士山や阿蘇山の溶岩石等の鉱石２が落ちない隙間３を空けて多数並列に並べ、前記細長板１を連結するように横断方向に両端部と中間部分（図１では２個所）に桟木４を渡してビス等で固定する。
なお、「溶岩石等」には、溶岩石、火山岩及び遠赤外線を発生する石を含む。
そして、前記桟木４、４間の仕切部に溶岩石等の鉱石２を敷き並べ、上部を塞ぐように簾の子桟５を溶岩石等の鉱石２が落ちない隙間３を空けて多数並列に並べ、前記桟木４に前記簾の子桟５をビス等で固定する。
なお、両端に位置する簾の子桟６は桟木４に相当する部分の高さを備え、前記桟木４に位置する部分に切欠き部７を設けているので、前記切欠き部７を前記桟木４に嵌合させて側面からの鉱石２の脱落を防ぐことができる。
【０００７】
図２に示すように、組み立てられたサウナ用すのこは、内部に溶岩石等の鉱石２を充填した筺体形状をなし、上面及び下面には前記鉱石２が落ちない多数の隙間３を備えているものである。
図３の図２Ａ−Ａ矢視断面図に示すように、下面を細長板１、両側面を簾の子桟６、上面を簾の子桟５により形成された筺体形状を備え、内部空間には溶岩石等の鉱石２が充填されているものである。
なお、下面を細長板１にしたが、これに代えて簾の子桟５により形成することもできる。
【０００８】
次に、本考案のサウナ用すのこの使用例を添付図面に基づいて、以下に説明する。
図４に示すように、サウナ室８内に設けられているベンチ部分９の腰掛け部に本考案のサウナ用すのこを簾の子桟５を上にして設置する。
また、ベンチ部分に本考案のサウナ用すのこを設置すると高さが高くなるので、足元部分にも本考案のサウナ用すのこを設置すれば高さが変わらず、高さを気にしなくできる。
なお、サウナ室８を新築する場合には、予めベンチ部分９に本考案のサウナ用すのこの構成を採用して腰掛け部を一体化すればよい。
【０００９】
通常、サウナ室８の温度は約８０〜９０℃であり、本考案のサウナ用すのこは、この温度に溶岩石等の鉱石２が暖められて遠赤外線を発生する。
ベンチに腰掛けている入浴者はサウナ室の約８０〜９０℃の温度と本考案のサウナ用すのこの鉱石２からの遠赤外線で温められ、岩盤浴効果を得ることができる。
特に、鉱石２からの遠赤外線の効果で身体の内部まで温められるのでサウナ室８の室温を１０℃位低下しても発汗効果が変わらない。
【００１０】
なお、前記鉱石２を遠赤外線を発生する全国各地、例えば八幡平山系の焼山、富士山や阿蘇山の溶岩石としたが、これに限らず、マイナスイオンを発生するトルマリン鉱石やカビ防止の殺菌作用する十和田石を混入しても良い。
また、本考案のサウナ用すのこは、小型で持ち運ぶことができるため、簡単に据付等ができる。
【図面の簡単な説明】
【００１１】
【図１】本考案のサウナ用すのこを分解して示す分解斜視図である。
【図２】本考案のサウナ用すのこの全体斜視図である。
【図３】図２Ａ−Ａ矢視断面図である。
【図４】サウナ室で使用される本考案のサウナ用すのこを示す使用状態図である。
【符号の説明】
【００１２】
１  細長板
２  鉱石
３  隙間
４  桟木
５  簾の子桟
６  簾の子桟
７  切欠き部
８  サウナ室
９  ベンチ部分
【図１】
0003145093.tif 000003
【図２】
0003145093.tif 000004
【図３】
0003145093.tif 000005
【図４】
0003145093.tif 000006